(57)【特許請求の範囲】
【請求項１】
開口周縁にフランジ部を有する容器本体と、調理用食品を収納した容器本体のフランジ部に固着することで容器本体の開口部を塞ぐフィルム状の蓋材とからなり、蓋材の端部に開封開始部分がある加熱用容器であって、蓋材の開封開始部分には、フランジ部に対する固着部より外側で且つ端縁側に先端部分を残したところに上向きの突出部分が設けられていることを特徴とする加熱用容器。
【請求項２】
容器本体のフランジ部に、蓋材の開封開始部分に対応して段下げ部が設けられていることを特徴とする請求項１に記載の加熱用容器。
【請求項３】
調理用食品を収納した容器本体のフランジ部に固着することで容器本体の開口部を塞ぐために用いられるフィルム状の蓋材であって、フランジ部に対する固着部より外側で且つ端縁側に先端部分を残したところに上向きの突出部分が設けられていることを特徴とする蓋材。
【発明の詳細な説明】
【技術分野】
【０００１】
本発明は、中に調理用食品を収納した状態で販売され、電子レンジ等によってその調理用食品を加熱調理するのに用いられる加熱用容器の技術分野に属する。
【背景技術】
【０００２】
従来より、中に調理用食品を収納した状態で販売され、電子レンジ等でその調理用食品を加熱調理する場合に用いる容器として、調理用食品を容器本体に収納しそのフランジ部に蓋材を密封シールした状態で販売されるタイプの加熱用容器が知られている。このタイプの加熱用容器は、電子レンジにかけると、中の調理用食品が高周波によって直に加熱されるとともに、水分が蒸気になることによって蒸らされながら加熱調理されるようになっている。
【０００３】
そして、このような加熱用容器としては、加熱調理時に中の水蒸気が膨張して破裂するのを防止するため、蓋材の一部を剥がしたり、あるいは針状のもので数カ所に孔を開けるかしてから電子レンジにかけるようになったものが主流であったが、最近では自動的に水蒸気を逃がす機能を付与したものが増えている。
【先行技術文献】
【特許文献】
【０００４】
【特許文献１】特開平９−２２１１７７号公報
【特許文献２】実開平２−７３１８４号公報
【特許文献３】特開２０００−１４２８２６号公報
【発明の概要】
【発明が解決しようとする課題】
【０００５】
従来の技術で述べたように、最近では、加熱調理するときに自動的に水蒸気を逃がすための工夫を施した加熱用容器が多く出回っている。しかしながら、このタイプの加熱用容器の場合でも、加熱調理後すぐに蓋材のつまみ部を指先で摘んで容器本体のフランジ部から引き剥がそうとすると、残った水蒸気が開封開始箇所から噴き出すことがあり、上手く操作しないと場合によっては指先に軽いやけどをすることがあった。
【０００６】
本発明は、上記のような問題を解決するためになされたものであり、その目的とするところは、電子レンジ等で中の調理用食品を加熱調理する容器であって、加熱調理後の開封時に指先のやけどを防ぐようにした加熱用容器を提供し、併せてそれに用いる蓋材を提供することにある。
【課題を解決するための手段】
【０００７】
上記の目的を達成するため、請求項１に記載の発明である加熱用容器は、開口周縁にフランジ部を有する容器本体と、調理用食品を収納した容器本体のフランジ部に固着することで容器本体の開口部を塞ぐフィルム状の蓋材とからなり、蓋材の端部に開封開始部分がある加熱用容器であって、蓋材の開封開始部分には、フランジ部に対する固着部より外側で且つ端縁側に先端部分を残したところに上向きの突出部分が設けられていることを特徴としている。
【０００８】
請求項２に記載の発明である加熱用容器は、請求項１に記載の加熱用容器において、容器本体のフランジ部に、蓋材の開封開始部分に対応して段下げ部が設けられていることを特徴としている。
【００１０】
そして、請求項３に記載の発明である蓋材は、調理用食品を収納した容器本体のフランジ部に固着することで容器本体の開口部を塞ぐために用いられるフィルム状の蓋材であって、フランジ部に対する固着部より外側で且つ端縁側に先端部分を残したところに上向きの突出部分が設けられていることを特徴としている。
【発明の効果】
【００１１】
請求項１に記載の加熱用容器は、開口周縁にフランジ部を有する容器本体と、調理用食品を収納した容器本体のフランジ部に固着することで容器本体の開口部を塞ぐフィルム状の蓋材とからなり、蓋材の端部に開封開始部分がある加熱用容器であって、蓋材の開封開始部分には、フランジ部に対する固着部より外側で且つ端縁側に先端部分を残したところに上向きの突出部分が設けられていることを特徴としているので、突出部分を指先で摘んだ状態で蓋材を引っ張り上げた場合、開封を開始した箇所から水蒸気が噴き出したとしても、突出部分を摘んでいる指先を蓋材の先端部分がカバーするため、噴き出した水蒸気が指先に当たらず、開封時に蓋材を摘んだ指先をやけどをするのが防止される。
【００１２】
請求項２に記載の加熱用容器は、請求項１に記載の加熱用容器において、容器本体のフランジ部に、蓋材の開封開始部分に対応して段下げ部が設けられている形態としたので、請求項１に記載の発明が奏する効果に加え、フランジ部を摘んでいる方の指先に水蒸気が当たりににくくなり、開封時に蓋材の突出部分を摘んだ方の指先のみならず、フランジ部を摘んで押さえている方の指先をやけどするのも防止される。
【図面の簡単な説明】
【００１４】
【図１】本発明に係る加熱用容器一例を示す斜視図である。
【図２】図１の加熱用容器を構成する容器本体と蓋材の両者を離した状態で示す斜視図である。
【図３】蓋材の突出部分をその変形例とともに示す拡大断面図である。
【図４】図１の加熱用容器を開封し始めた状態で示す説明図である。
【図５】図１の加熱用容器における容器本体の変形例を示す斜視図である。
【発明を実施するための形態】
【００１５】
次に、本発明の実施形態について図面を参照しながら詳細に説明する。
【００１６】
図１に示す加熱用容器Ｃは、図２に分離状態で示すように、開口周縁にフランジ部１１を有する容器本体１０と、調理用食品を収納した容器本体１０のフランジ部１１に固着することで容器本体１０の開口部を塞ぐフィルム状の蓋材２０とからなる。そして、この加熱用容器Ｃの場合、加熱調理時に自動的に水蒸気を逃がすための逆止弁３０が蓋材２０の略中央に設けられている。
【００１７】
容器本体１０は、樹脂シートを円形で深さのあるトレー状にシート成形したもので、開口周縁に設けられたフランジ部１１には、手で持ちやすくするため、相対する位置を膨出させた把手状の拡大部分１１ａが設けられている。
【００１８】
なお、本発明の加熱用容器における容器本体は、押出し成形した樹脂シートを用いて真空成形、圧空成形、真空圧空成形等の成形方法でトレー状に成形したものでよいし、樹脂を容器形状に射出成形したものであってもよい。また、容器本体の形状は特に制限されるものではなく、用途や内容物に応じて、図示のような円形状のほか、楕円状、角形状など任意である。
【００１９】
一方、蓋材２０は、内面にイージーピール層を有するフィルム状の包装材からなり、容器本体１０のフランジ部１１に対して固着部２１を形成するように金型でヒートシールすることによって容器本体１０の開口部を塞ぐようになっている。図１の加熱用容器Ｃでは、ヒートシールによる蓋材２０の固着部２１は、フランジ部１１の内側寄りの部分に沿って細いシール幅で形成され、開封開始部分となる一方の拡大部分１１ａの中央のところにおいて図示の如く外向きに尖ったＶ字状に形成されている。
【００２０】
この蓋材２０には、フランジ部１１における一方の拡大部分１１ａに対応する開封開始部分に、フランジ部１１に対する固着部２１より外側で且つ端縁側に先端部分２０ａを残したところに摘み部分となる上向きの突出部分２２が設けられている。この突出部分２２は、図３（ａ）に示すように、蓋材２０を折り返した状態でヒートシール等により貼り合わせることで形成されている。このように突出部分２２を一枚の蓋材で構成した方が経済的ではあるが、図３（ｂ）に示す突出部分２２のように、別の包装材を当該箇所にヒートシール、ホットメルト、接着剤等で取り付けるようにしても構わない。
【００２１】
そして、搬送時や店頭での取扱い時にこの突出部分２２を含む蓋材２０の開封開始部分がばたつくのを防止するため、開封開始部分のいずれかの部位を容器本体１０のフランジ部１１に対してスポットシールにより仮固定しておくのが好ましい。
【００２２】
容器本体１０と蓋材２０とから構成され、中に調理用食品を収納してなる加熱用容器Ｃは、電子レンジにかけることで加熱調理される。すると、中の調理用食品は高周波によって加熱され、水蒸気で蒸らされながら加熱調理される。そして、膨張した水蒸気が蓋材２０の逆止弁３０から自動的に逃げることで破裂することなく加熱調理が行われる。なお、逆止弁３０のような自動的に水蒸気を逃がす手段を設けない場合は、あらかじめ蓋材の一部を剥がしたり、あるいは針状のもので数カ所に孔を開けるかしてから電子レンジにかけるようにする。
【００２３】
このように加熱調理した後、加熱用容器Ｃを開封するには、図４に示すように、一方の手の指先で容器本体１０におけるフランジ部１１の拡大部分１１ａを把持し、もう一方の手の指先で蓋材２０の突出部分２２を摘んで引っ張り上げる。すると、ヒートシールによる固着部２１におけるＶ字状の先端部に引っ張る力が集中し、そこから蓋材２０が剥がれ始める。このとき、開封を開始した箇所から水蒸気が噴き出したとしても、突出部分２２を摘んでいる指先を蓋材２０の先端部分２０ａがカバーするため、噴き出した水蒸気が指先に当たるのが防止される。なお、蓋材２０の開封開始部分が容器本体１０のフランジ部１１に仮固定されている場合は、突出部分２２を引っ張る勢いで固定状態を解くことができる。また、スポットシールにより仮固定しておくことにより、搬送時や店頭での取扱い時に突出部分を含む開封開始部分が邪魔になるのが軽減されるとともに、突出部分を摘んで蓋材を剥がし始める際には軽く引っ張ることで開封開始分をフランジ部から外すことができる。
【００２４】
図５は図２の下側に示した容器本体１０の変形例であり、フランジ部１１の相対する位置に設けた把手状の拡大部分１１ａの一部をフランジ部１１の高さより低くして段下げ部１１ｂとしたものである。この容器本体１０を用いた加熱用容器は、蓋材２０の開封開始部分に対応して段下げ部１１ｂが設けられた形態になるので、加熱調理して開封するときに、フランジ部１１を摘んでいる方の指先に水蒸気が当たりににくくなり、蓋材２０の突出部分２２を摘んだ方の指先のみならず、フランジ部１１を摘んで押さえている方の指先にも水蒸気が当たらなくなる。なお、図５ではデザイン的な観点から両側の拡大部分１１ａの一部に段下げ部１１ｂを形成する例を示しているが、少なくともどちらか一方の拡大部分１１ａに設ければよい。
【００２５】
本発明で用いられる容器本体としては、電子レンジ調理食品に用いられるものであれば特に限定されるものではなく、例えば代表的なものとして、ＰＰ、ＰＰ／ＥＶＯＨ／ＰＰ等が挙げられる。
【００２６】
また、本発明で用いられる蓋材としては、基材フィルムを有し、内面にイージーピール層を有するフィルム状の包装材であれば特に限定されるものではなく、例えば、Ｎｙ、ＰＥＴ等の基材フィルムにイージーピール層をドライラミネートしたものが用いられ、さらには必要に応じてバリヤー層を積層したものも用いられる。
【００２７】
以上、本発明を実施するための形態について詳細に説明してきたが、本発明による加熱用容器は、上記の形態に何ら限定されるものではなく、本発明の趣旨を逸脱しない範囲において種々の変更が可能であることは当然のことである。
【産業上の利用可能性】
【００２８】
本発明の加熱用容器は、中に収納した調理用食品を電子レンジにより加熱調理するための容器として用いられるほか、熱湯により加熱する食品を収納して販売する容器としても用いることができる。
【符号の説明】
【００２９】
Ｃ  加熱用容器
１０  容器本体
１１  フランジ部
１１ａ  拡大部分
２０  蓋材
２１  固着部
２１ａ  先端部分
２２  突出部分
３０  逆止弁
【図１】
0006011757.tif 000002
【図２】
0006011757.tif 000003
【図３】
0006011757.tif 000004
【図４】
0006011757.tif 000005
【図５】
0006011757.tif 000006